(57)【要約】【課題】より強固かつ施工を簡略化したスリットケーソンのスリット構造を提供する。【解決手段】遊水室６の前端に横方向に間隔をあけて設けられた支柱２１と、この支柱２１同士の間に縦方向に間隔をあけて設けられた受波パネル２２とからなるスリットケーソン１のスリット構造である。支柱２１には受波パネル２２が係合する溝２３が設けられている。支柱２１及び左右側壁１１、１２の上方から受波パネル２２を吊り下ろして設置することで、横スリットケーソンの横部材を設けるための支保工が不要となり、より強固かつ施工を簡略化したスリット構造を有する横スリットケーソンが得られ、横スリットケーソンの構築にかかる工期を短縮し、人件費を減らすことができる。【選択図】図１
2005097836.tif 000002
【特許請求の範囲】
【請求項１】
遊水室を備えるスリットケーソンにおいて、遊水室の前端に横方向に間隔をあけて設けられた支柱と、この支柱同士の間に縦方向に間隔をあけて設けられた受波パネルとからなることを特徴とするスリットケーソンのスリット構造。
【請求項２】
前記支柱には前記受波パネルが係合する溝が設けられていることを特徴とする請求項１に記載のスリットケーソンのスリット構造。
【請求項３】
前記溝にはレールが設けられるとともに、前記受波パネルの両側部には前記レールに係合するガイドが設けられることを特徴とする請求項２に記載のスリットケーソンのスリット構造。
【発明の詳細な説明】
【技術分野】
【０００１】
本発明は、消波工となる横スリットケーソンのスリット構造に関する。
【背景技術】
【０００２】
消波機能を備えるケーソンには、縦スリット式、横スリット式のスリットケーソンや、有孔式のケーソン等が実用化されている（例えば特許文献１参照）。この中でも構造が単純なことや施工が容易であることから縦スリット式が主流となっているが、消波性能は横スリット式のほうが高いとされている。
【０００３】
一般に、防波堤ケーソンは、ほとんどが従来のＲＣ構造である。近年では、人力による労務を減らし工期を短縮するためにプレキャストコンクリートが数多く採用され、防波堤形状の多様化にも対応している。
【０００４】
また、近年、コンクリート材料としてＳ．Ｑ．Ｃ．などの材料が注目されている。Ｓ．Ｑ．Ｃ．とは、超高性能コンクリート（Super Quality Concrete）の略称であり、水結合材比を４０％以下に抑えるとともに、減水剤等を用いることで、高強度と高流動性とを併せ持つ特徴がある。さらに高強度鉄筋を使用することで３００〜５００年にわたり供用できるとされている（非特許文献１参照）。
【０００５】
また、コンクリートにシリカフューム、火山灰、高炉スラグ微粉末、フライアッシュ等のポゾランや、金属繊維等を混合することで、長期にわたり高強度を保つコンクリートを得ることも知られている（例えば特許文献２、非特許文献２参照）。
【特許文献１】特開平１１−３５０４５０号公報（図１、図４）
【特許文献２】特開平１１−２４６２５５号公報
【非特許文献１】日経コンストラクション、日経ＢＰ社、２００１年１０月２６日、第２９０号、ｐ．４９−５３
【非特許文献２】土木学会編、「土木工学ハンドブックI」、第四版、技報堂出版、１９８９年１１月１８日、ｐ．１６６−１７０、１７８
【発明の開示】
【発明が解決しようとする課題】
【０００６】
しかし、横スリットケーソンは横部材の多用により部材構造が複雑化し、型枠・支保工作業が複雑化するなど、縦スリットケーソンに比べ施工性が劣ることが問題となっている。
【０００７】
特に、プレキャストコンクリート部材を用いた場合、接合部分が複雑となり、施工性に問題が生じる。また波浪の大きい大水深海域で適用されるケーソンでは、大型の構造部材が必要となるが、クレーンの能力によりプレキャスト部材の重量が制限される。
【０００８】
本発明の課題は、より強固かつ施工を簡略化したスリットケーソンのスリット構造を提供することにある。
【課題を解決するための手段】
【０００９】
以上の課題を解決するため、本発明の請求項１に記載の発明は、遊水室６を備えるスリットケーソン１のスリット構造であって、例えば図１に示すように、遊水室６の前端に横方向に間隔をあけて設けられた支柱２１と、左右側壁１１、１２と支柱２１との間、及び支柱２１同士の間に縦方向に間隔をあけて設けられた受波パネル２２とからなることを特徴とする。
【００１０】
請求項１に記載の発明によれば、遊水室６の前端に支柱２１を横方向に間隔をあけて設け、左右側壁１１、１２と支柱２１との間、及び支柱２１同士の間に縦方向に間隔をあけて受波パネル２２を設けることで、スリットケーソン１を構築することができるので、横スリットケーソンの横部材を設けるための支保工が不要となり、施工を簡略化することができる。
【００１１】
請求項２に記載の発明は、請求項１に記載のスリットケーソン１のスリット構造であって、前記支柱２１には前記受波パネル２２が係合する溝（鉛直溝２３）が設けられていることを特徴とする。
【００１２】
請求項２に記載の発明によれば、支柱２１に前記受波パネル２２の係合する溝が設けられているので、支柱２１及び左右側壁１１、１２の上方から受波パネル２２を吊り下ろして容易に設置することができる。
【００１３】
請求項３に記載の発明は、請求項２に記載のスリットケーソン１のスリット構造であって、前記溝にはレール（溝型鋼２４）が設けられるとともに、前記受波パネル２２の両側部には前記レールに係合するガイド（Ｔ型鋼２５）が設けられることを特徴とする。
【００１４】
請求項３に記載の発明によれば、溝に設けられたレールに契合するガイドが受波パネル２２の両側部に設けられているので、受波パネル２２を鉛直溝２３に落とし込むときに支柱２１と受波パネル２２とが直接接触して磨耗することがない。また、レールとガイドとが係合した状態で支柱２１と受波パネル２２との間にグラウト材２８を充填することで、支柱２１と受波パネル２２とをより強固に接合することができる。
【発明の効果】
【００１５】
本発明によれば、より強固かつ施工を簡略化したスリット構造を有する横スリットケーソンが得られ、横スリットケーソンの構築にかかる工期を短縮し、人件費を減らすことができる。
【発明を実施するための最良の形態】
【００１６】
以下、本発明の第１の実施の形態について説明する。本発明のスリットケーソン１は、図１及び図２に示すように、底盤２と、遮水壁１０と、受波壁２０と、隔壁３と、上部梁４とからなる。
【００１７】
底盤２の上には、遮水壁１０及び隔壁３が設けられている。
【００１８】
遮水壁１０は、左側壁１１と、右側壁１２と、後壁１３と、中壁１４と、前壁１５とからなる。左側壁１１及び右側壁１２は鉛直かつ互いに平行である。後壁１３は左側壁１１及び右側壁１２の後端と連続している。中壁１４は左側壁１１及び右側壁１２の中央間に設けられている。
【００１９】
後壁１３、中壁１４、左側壁１１、右側壁１２、及び底盤２に囲まれる空間が中詰室５となる。中詰室５は内部に設けられた隔壁３により仕切られている。中詰室５が空の状態では、スリットケーソン１は浮力により水に浮かぶが、内部に土砂やモルタル等の充填材を充填することでスリットケーソン１を沈設することができる。
【００２０】
前壁１５は左側壁１１及び右側壁１２の前端と連続している。前壁１５、中壁１４、左側壁１１、右側壁１２、上部梁４、及び底盤２に囲まれる空間が遊水室６となる。遊水室６下部は隔壁３で仕切られている。
【００２１】
受波壁２０は前壁１５の上部に設けられており、支柱２１と、支柱２１に支持される受波パネル２２とから構成されている。支柱２１の左右側面と、左側壁１１及び右側壁１２の内側面の前端には、鉛直溝２３が設けられている。鉛直溝２３はその幅が受波パネル２２の厚さよりも若干大きくなるように設けられている。
【００２２】
受波パネル２２は、その左右端部を、鉛直溝２３に係合させた状態で上下に間隔を空けて配置される。受波パネル２２同士の間がスリットケーソン１のスリットとなる。
【００２３】
受波パネル２２としては、ＰＣパネルや、プレストレスを導入したＰＣパネルを用いてもよい。あるいはポゾラン等の混和材や金属繊維を混和したコンクリートを用いてもよい。このような混和材を混和したコンクリート材料としては、例えばダクタル（Ductal；登録商標）などがある。
【００２４】
プレストレスを導入したり、混和材や金属繊維を混和したりすることにより、受波パネル２２の強度を向上させることができ、部材を軽量化し、施工を容易にすることができる。
【００２５】
ここで受波パネル２２の支柱２１への取付構造の一例について説明する。鉛直溝２３の底部には、例えば図３に示すように、２本の溝型鋼２４がその溝部分を対向させた状態で、半分を支柱２１に埋設され、残り半分を鉛直溝２３内に突出させて鉛直に設けられている。この突出した部分が受波パネル２２を上下に移動させるレールとなる。
【００２６】
受波パネル２２の左右端面には、Ｔ型鋼２５が鉛直に設けられている。Ｔ型鋼２５は、受波パネル２２に埋設された基部２６と、中央で基部２６と一体化している係合部２７とからなる。係合部２７は２本の溝型鋼２４の突出した部分に係合するように配置されることで、受波パネル２２を上下に動かすガイドとなる。
【００２７】
鉛直溝２３と、受波パネル２２との間には、高強度無収縮モルタル等のグラウト材２８が充填されている。グラウト材２８は溝型鋼２４及びＴ型鋼２５の間にも充填される。なお、鉛直溝２３の表面にはあらかじめ目荒処理をしておき、グラウト材２８が定着しやすいようにしておく。
【００２８】
支柱２１の上端と中壁１４の上端との間には、上部梁４が設けられている。上部梁４は、受波壁２０が波から受ける力を中壁１４に伝達する。
【００２９】
以下に本発明のスリットケーソン１の構築方法について説明する。なおスリットケーソン１の構築は、フローティングドック等で行うことができる。
【００３０】
まず、図４に示すように、底盤２を形成するとともに、前壁１５、左側壁１１、右側壁１２、中壁１４、後壁１３、隔壁３の下部を形成する。次に、図５に示すように、左側壁１１、右側壁１２、中壁１４、後壁１３、隔壁３の残りの部分を形成する。
【００３１】
次に、図６に示すように、支柱２１及び上部梁４を形成する。このとき支柱２１を構成する鉄筋とともに溝型鋼２４を埋設する。ここで、支柱２１及び上部梁４の素材としては、Ｓ．Ｑ．Ｃ．を用いることができる。Ｓ．Ｑ．Ｃ．を用いることで、部材耐力を確保することができるとともに、部材を細くして軽量化することができる。
【００３２】
次に、鉛直溝２３に、受波パネル２２を仮止めする。図７に示すように、まず一番下の受波パネル２２を仮止めする仮設ブラケット２９を設け、次いで一番下の受波パネル２２を上からフローティングドックのクレーン等で吊り下ろし、鉛直溝２３の間に挿入する。次に下から二番目の受波パネル２２を仮止めする仮設ブラケット２９を設け、同様に下から二番目の受波パネル２２を挿入する。これを繰り返し、全ての受波パネル２２を仮止めする。
【００３３】
受波パネル２２を仮止めしたら、鉛直溝２３と受波パネル２２との間に無収縮モルタルを充填し、養生する。以上のようにしてスリットケーソン１が完成する。
【００３４】
本発明のスリットケーソン１の構築方法によれば、横部材を設けるための支保工が不要となり、施工を簡略化することができる。また、支柱２１、上部梁４や受波パネル２２に高強度で耐久性の高い素材を用いることで、スリットケーソン１の耐久性を向上させるとともに、部材を軽量化してさらに施工を簡略化することができる。したがって、スリットケーソン１の構築にかかる工期を短縮し、人件費を減らすことができる。
【００３５】
完成したスリットケーソン１は港湾や漁港の所定位置まで運搬し、そこで中詰室５に土砂等の充填材を充填して沈設する。スリットケーソン１を並べて沈設することで、防波堤を構築することができる。
【００３６】
図８、図９は本発明のスリットケーソン１の第２の実施の形態例を示すものである。本実施の形態では、受波壁２０が、沖側下方から陸側上方に向かって傾斜している。また、それに伴い、中壁１４の上部も同様に傾斜している。受波壁２０がこのように傾斜していることで、波から受ける力の一部を鉛直下向きの力として受けることができるため、ケーソンの全体的な安定性が向上させることができる。したがってケーソンの幅を小さくでき、施工コストを削減することができる。
【００３７】
本実施の形態のスリットケーソンも、第１の実施の形態と同様にして構築することができる。
【００３８】
なお、以上の実施の形態においては、背後や左右を遮水壁１０で塞がれた不透過式のケーソンとしたが、本発明はこれに限定されるものではなく、透過式、あるいは半透過式のケーソンとしてもよい。
【００３９】
また、支柱２１と受波パネル２２とを係合させるレール及びガイド等の形状も任意であるし、レール及びガイドを用いずに、鉛直溝２３に直接受波パネル２２を落とし込んでもよい。その他、具体的な細部構造等についても適宜に変更可能であることは勿論である。
【図面の簡単な説明】
【００４０】
【図１】本発明のスリットケーソンのスリット構造を示す斜視図である。
【図２】本発明のスリットケーソンのスリット構造を示す鉛直断面図である。
【図３】本発明のスリットケーソンのスリット構造を示す水平断面図である。
【図４】本発明のスリットケーソンのスリット構造の構築方法を示す斜視図である。
【図５】本発明のスリットケーソンのスリット構造の構築方法を示す斜視図である。
【図６】本発明のスリットケーソンのスリット構造の構築方法を示す斜視図である。
【図７】本発明のスリットケーソンのスリット構造の構築方法を示す立面図である。
【図８】本発明のスリットケーソンのスリット構造を示す斜視図である。
【図９】本発明のスリットケーソンのスリット構造を示す鉛直断面図である。
【符号の説明】
【００４１】
１     スリットケーソン
６     遊水室
１２   左右側壁
２１   支柱
２２   受波パネル
２３   鉛直溝
２４   溝型鋼
２５   Ｔ型鋼
２８   グラウト材
【図１】
2005097836.tif 000003
【図２】
2005097836.tif 000004
【図３】
2005097836.tif 000005
【図４】
2005097836.tif 000006
【図５】
2005097836.tif 000007
【図６】
2005097836.tif 000008
【図７】
2005097836.tif 000009
【図８】
2005097836.tif 000010
【図９】
2005097836.tif 000011